(57)【特許請求の範囲】
【請求項１】
少なくとも大腿部を有する運動用衣服であって、
前記大腿部は、母材生地と、前記母材生地に積層されている合成樹脂フィルムとを有しており、
前記運動用衣服を特定マネキンに着用させ、該特定マネキンの大転子高さと膝関節高さとの高低差（身長方向の差）を１００としたとき、
前記大腿部の一部の領域であって前記大転子高さとの高低差が３０以上７０以下である第１領域には、前記合成樹脂フィルムの存在範囲が前記特定マネキンの大腿周方向の長さの６０％以上である箇所が存在しており、
前記大腿部の他の領域であって前記大転子高さとの高低差が３０以下である第２領域には、前記合成樹脂フィルムの存在範囲が前記特定マネキンの大腿周方向の長さの２０％以下（０％を含む）に存在しており、
大腿周方向において、前記合成樹脂フィルムは、複数であり、
大腿周方向において、前記合成樹脂フィルムは、複数の不連続部を有しており、
前記不連続部は、複数の前記合成樹脂フィルムとの間にあり、
前記第１領域において、前記合成樹脂フィルムが存在している箇所が着用者の身体に加える圧力は、１５ｈＰａ以上２５ｈＰａ以下であることを特徴とする運動用衣服。
【請求項２】
前記不連続部の少なくとも一部は、前記大腿部の前側にある請求項１に記載の運動用衣服。
【請求項３】
前記不連続部は、前記合成樹脂フィルムの上面から見た延在方向が身長方向と同じである請求項１または２に記載の運動用衣服。
【請求項４】
前記合成樹脂フィルムは、周縁部に前記合成樹脂フィルムが存在している閉じた開口を有している請求項１〜３のいずれか一項に記載の運動用衣服。
【請求項５】
前記開口は、前記合成樹脂フィルムの上面から見た延在方向が身長方向に対して斜めとなっている請求項４に記載の運動用衣服。
【請求項６】
前記第１領域は、股下５ｃｍから股下２０ｃｍまでの領域であり、
前記第２領域は、股下０ｃｍから股下５ｃｍまでの領域である請求項１〜５のいずれか一項に記載の運動用衣服。
【請求項７】
前記合成樹脂フィルムは、着用者側面に存在している請求項１〜６のいずれか一項に記載の運動用衣服。
【請求項８】
前身頃において、前記不連続部の上端は、前記不連続部の下端よりも身幅方向の中心側にあり、
前記不連続部の前記上端と前記下端とを通る直線と、身長方向とがなす角度は、１０度以上４５度以下である請求項１〜７のいずれか一項に記載の運動用衣服。
【請求項９】
前記第１領域内に、股下９ｃｍから股下１２ｃｍまでの領域である第３領域があり、
前記第３領域において、前記合成樹脂フィルムが存在している面積率は、８０％以上である請求項１〜８のいずれか一項に記載の運動用衣服。
【請求項１０】
前記合成樹脂フィルムを構成する材料は、ポリウレタン系樹脂である請求項１〜９のいずれか一項に記載の運動用衣服。
【請求項１１】
前記母材生地に前記合成樹脂フィルムが積層されている部分の目付は、前記母材生地に前記合成樹脂フィルムが積層されていない部分の目付の１５０％以上３００％以下である請求項１〜１０のいずれか一項に記載の運動用衣服。
【請求項１２】
前記合成樹脂フィルムの厚みは、０．２ｍｍ以下である請求項１〜１１のいずれか一項に記載の運動用衣服。
【発明の詳細な説明】
【技術分野】
【０００１】
本発明は、少なくとも大腿部を有し、運動時に着用する運動用衣服に関する。
【背景技術】
【０００２】
従来、運動の際に運動能力を高めることや、筋肉の疲労を軽減することを目的として、着用者の所定の部位を圧迫する衣服が知られている。
【０００３】
例えば、特許文献１には、踝の上方、膝下、膝上のいずれかから、少なくともウエストラインまでの長さを有し、丸編地からなる運動用のスパッツであって、スパッツは運動に必要な筋肉のサポートの要求に応じて所定部分に比較的緊締力の強い部分と比較的緊締力の弱い部分がパターン状に設けられており、比較的緊締力の強い部分がカットボス編手法によって形成された部分である運動用スパッツが記載されている。特許文献２には、サイクリストが自転車に搭乗する際に装着するための伸縮性生地からなるサイクリングパンツであって、サイクリストの大臀筋から大腿二頭筋に相当する領域に亘って、他の部分に比べてその面方向での伸縮率が低い高弾性生地を設けているサイクリングパンツが記載されている。
【先行技術文献】
【特許文献】
【０００４】
【特許文献１】特開２００１−２１４３０３号公報
【特許文献２】特開２０１２−２４１３００号公報
【発明の概要】
【発明が解決しようとする課題】
【０００５】
しかし、特許文献１および２に記載されているような構造の衣服では、強度の高い運動を長時間行った際の運動能力の向上や筋肉疲労の軽減の効果が十分ではなく、さらに改善の余地があると考えられる。
【０００６】
そこで本発明は、中強度〜高強度の運動を長時間行う場合において、着用者の運動能力を向上させ、また、着用者の筋肉の疲労を軽減させる効果の高い運動用衣服を提供することを目的とする。
【課題を解決するための手段】
【０００７】
前記課題を解決することができた本発明の運動用衣服は、少なくとも大腿部を有する運動用衣服であって、大腿部は、母材生地と、母材生地に積層されている合成樹脂フィルムとを有しており、運動用衣服を特定マネキンに着用させ、該特定マネキンの大転子高さと膝関節高さとの高低差（身長方向の差）を１００としたとき、大腿部の一部の領域であって大転子高さとの高低差が３０以上７０以下である第１領域には、合成樹脂フィルムの存在範囲が特定マネキンの大腿周方向の長さの６０％以上である箇所が存在しており、大腿部の他の領域であって大転子高さとの高低差が３０以下である第２領域には、合成樹脂フィルムの存在範囲が特定マネキンの大腿周方向の長さの２０％以下（０％を含む）に存在していることを特徴とするものである。
【０００８】
上記の運動用衣服において、第１領域は、股下５ｃｍから股下２０ｃｍまでの領域であり、第２領域は、股下０ｃｍから股下５ｃｍまでの領域であることが好ましい。
【０００９】
上記の運動用衣服において、合成樹脂フィルムは、着用者側面に存在していることが好ましい。
【００１０】
上記の運動用衣服において、大腿周方向において、合成樹脂フィルムは、不連続部を有していることが好ましい。
【００１１】
上記の運動用衣服において、合成樹脂フィルムの上面から見た不連続部の延在方向は、身長方向に対して斜めとなっていることが好ましい。
【００１２】
上記の運動用衣服において、不連続部は、周縁部に合成樹脂フィルムが存在している閉じた開口を有していることが好ましい。
【００１３】
上記の運動用衣服は、前身頃において、不連続部の上端は、不連続部の下端よりも身幅方向の中心側にあり、不連続部の上端と下端とを通る直線と、身長方向とがなす角度は、１０度以上４５度以下であることが好ましい。
【００１４】
上記の運動用衣服において、第１領域内に、股下９ｃｍから股下１２ｃｍまでの領域である第３領域があり、第３領域において、合成樹脂フィルムが存在している面積率は、８０％以上であることが好ましい。
【００１５】
上記の運動用衣服において、合成樹脂フィルムを構成する材料は、ポリウレタン系樹脂であることが好ましい。
【００１６】
上記の運動用衣服において、合成樹脂フィルムが積層されている部分の生地の目付は、合成樹脂フィルムが積層されていない部分の生地の目付の１５０％以上３００％以下であることが好ましい。
【００１７】
上記の運動用衣服において、合成樹脂フィルムの厚みは、０．２ｍｍ以下であることが好ましい。
【発明の効果】
【００１８】
本発明者らは、前述の課題を解決するために様々な検討を重ねた結果、運動用衣服の着用者の大腿において、ある特定の箇所を圧迫し、この圧迫している特定箇所の上部にある領域では、圧迫している特定箇所よりも圧迫する力を小さくすることにより、トライアスロンや自転車競技等の中強度〜高強度の運動を長時間行う際に心拍数の増加を抑制することができ、さらに、筋損傷の程度も軽減することができ、運動用衣服の着用者の運動能力の向上や疲労軽減の効果を発揮することが可能となることを見出し、本発明を完成した。
【００１９】
本発明の運動用衣服によれば、大転子高さと膝関節高さとの高低差（身長方向の差）を１００としたとき、大腿部の一部の領域であって大転子高さとの高低差が３０以上７０以下である第１領域には、合成樹脂フィルムの存在範囲が大腿周方向の長さの６０％以上である箇所が存在しており、大腿部の他の領域であって大転子高さとの高低差が３０以下である第２領域には、合成樹脂フィルムの存在範囲が大腿周方向の長さの２０％以下（０％を含む）に存在していることにより、着用者の大腿の第１領域の特定箇所に圧力を加えることができ、第２領域では第１領域の特定箇所よりも加わる圧力を小さくすることができる。その結果、中強度〜高強度の運動を長時間行う場合において着用者の運動能力を向上させるという効果や、筋肉の疲労を軽減させる効果を十分に発揮することが可能となる。
【図面の簡単な説明】
【００２０】
【図１】本発明の実施の形態に係る運動用衣服の正面側斜視図を表す。
【図２】本発明の実施の形態に係る運動用衣服の背面図を表す。
【発明を実施するための形態】
【００２１】
以下、本発明に係る運動用衣服に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００２２】
図１は本発明の実施の形態に係る運動用衣服１の正面側斜視図を表し、図２は運動用衣服１の背面図を表している。図１および図２に示すように、運動用衣服１は、少なくとも大腿部１０を有する。大腿部１０は、運動用衣服１の股部から裾までの部分を指す。運動用衣服１は、大腿部１０を有していればよく、例えば、ショートパンツやズボン等の下衣であってもよく、つなぎ服のような上衣と下衣が一体となった衣服等であってもよい。
【００２３】
本発明において、身長方向とは、運動用衣服１を特定マネキンに着用させた際の、特定マネキンの頭から足にかけての方向を意味する。また、身幅方向とは、運動用衣服１を特定マネキンに着用させた際の、特定マネキンの左右の方向を意味する。身長方向に対しては、上方と下方が定められ、身幅方向に対しては、身幅方向の中心線（特定マネキンに運動用衣服１を着用させた際の左右方向の中心線に対応）を基準に、内方と外方が定められる。なお、図１および図２においては、紙面の上下方向が身長方向に相当し、紙面の左右方向が身幅方向に相当する。
【００２４】
特定マネキンとは、運動用衣服１が男性用である場合には株式会社七彩製のＭＤ−２０Ａを示し、運動用衣服１が女性用である場合には株式会社七彩製のＷＤ−２０Ａを示す。本明細書にて、「特定マネキン」と記載している場合には、株式会社七彩製のＭＤ−２０ＡまたはＷＤ−２０Ａを指すものとする。なお、図１および図２において、特定マネキンの脚部の膝関節までの一部を破線にて記載している。
【００２５】
大腿部１０は、母材生地１１と、母材生地１１に積層されている合成樹脂フィルム１２とを有している。合成樹脂フィルム１２が積層されている母材生地１１は、生地の剛性が増す。そのため、運動用衣服１の着用者の、合成樹脂フィルム１２が積層されている母材生地１１に位置している身体の部位を圧迫し、筋肉や血流の補助を行うことができる。なお、合成樹脂フィルム１２が存在している箇所が着用者の身体に加える圧力は、１５ｈＰａ以上２５ｈＰａ以下であることが好ましい。なお、図１および図２に示す運動用衣服１は、運動用衣服１の着用者側面に合成樹脂フィルム１２が配置されている構成であり、図１および図２において合成樹脂フィルム１２を点線にて記載している。
【００２６】
母材生地１１は、織物、編物、不織布等の布地や、合成樹脂のシート状物等から構成される。母材生地１１を構成する布地を構成する繊維としては、例えば、ナイロン、ポリウレタン、ポリエステル等の合成繊維、綿等の天然繊維等が挙げられる。母材生地１１を構成する合成樹脂のシート状物を構成する材料としては、例えば、クロロプレンゴム等が挙げられる。中でも、母材生地１１を構成する材料は、合成繊維から構成される編物または織物であることが好ましい。母材生地１１を構成する材料が、合成繊維から構成される編物または織物であることにより、着心地がよく、かつ耐久性に優れた運動用衣服１とすることができる。
【００２７】
合成樹脂フィルム１２を構成する材料は、例えば、ポリウレタン系樹脂、ポリオレフィン系樹脂、塩化ビニル系樹脂、シリコーン系樹脂等が挙げられる。中でも、合成樹脂フィルム１２を構成する材料は、ポリウレタン系樹脂であることが好ましい。合成樹脂フィルム１２を構成する材料がポリウレタン系樹脂であることにより、合成樹脂フィルム１２が適度な伸縮性を有することとなる。そのため、合成樹脂フィルム１２が積層されている母材生地１１の剛性を高めつつ、適度な伸縮性も付与することができ、運動用衣服１の着脱が行いやすくなる。
【００２８】
合成樹脂フィルム１２を母材生地１１に積層する方法としては、例えば、母材生地１１に合成樹脂フィルム１２を重ねて溶着すること、母材生地１１に合成樹脂フィルム１２を重ねて縫合すること、接着剤を用いて母材生地１１に合成樹脂フィルム１２を固定すること等が挙げられる。中でも、母材生地１１に合成樹脂フィルム１２を溶着することによって、合成樹脂フィルム１２を母材生地１１に積層することが好ましい。溶着によって合成樹脂フィルム１２を母材生地１１に積層することにより、母材生地１１と合成樹脂フィルム１２との接合強度を高めることができる。その結果、運動用衣服１を繰り返し洗濯しても合成樹脂フィルム１２が母材生地１１から剥離しにくく、運動用衣服１の耐久性を高めることができる。
【００２９】
合成樹脂フィルム１２の厚みは、０．２ｍｍ以下であることが好ましい。合成樹脂フィルム１２の厚みの上限値を上記の値に設定することにより、大腿部１０の合成樹脂フィルム１２が設けられている部分に大きな段差ができにくくなる。そのため、運動用衣服１の着用者への肌当たりがよく、着心地を高めることができる。
【００３０】
合成樹脂フィルム１２の厚みは、０．２ｍｍ以下であることが好ましいが、０．１８ｍｍ以下であることがより好ましく、０．１５ｍｍ以下であることがさらに好ましい。合成樹脂フィルム１２の厚みの上限値を上記の範囲に設定することにより、合成樹脂フィルム１２が積層されている部分の生地の厚みが厚くなりすぎることを防ぎ、運動用衣服１の大腿部１０の着心地を向上させることが可能となる。また、合成樹脂フィルム１２の厚みは、０．０３ｍｍ以上であることが好ましく、０．０５ｍｍ以上であることがより好ましく、０．０７ｍｍ以上であることがさらに好ましい。合成樹脂フィルム１２の厚みの下限値を上記の範囲に設定することにより、母材生地１１に合成樹脂フィルム１２が積層されている部分が運動用衣服１の着用者の身体へ加える圧力を、合成樹脂フィルム１２が積層されていない母材生地１１が着用者の身体へ加える圧力よりも十分に高めることができ、運動用衣服１の着用者の運動能力の向上や疲労を軽減する効果を十分に発揮することができる。
【００３１】
図１および図２に示すように、運動用衣服１を特定マネキンに着用させ、該特定マネキンの大転子高さＰ１と膝関節高さＰ２との高低差（身長方向の差）を１００としたとき、大腿部１０の一部の領域であって大転子高さＰ１との高低差が３０以上７０以下である第１領域Ａ１には、合成樹脂フィルム１２の存在範囲が特定マネキンの大腿周方向の長さの６０％以上である箇所が存在しており、大腿部１０の他の領域であって大転子高さＰ１との高低差が３０以下である第２領域Ａ２には、合成樹脂フィルム１２の存在範囲が特定マネキンの大腿周方向の長さの２０％以下（０％を含む）に存在している。
【００３２】
第１領域Ａ１には合成樹脂フィルム１２の存在範囲が特定マネキンの大腿周方向の長さの６０％以上である箇所が存在していることにより、運動用衣服１の着用者の大転子から膝関節までの範囲の特定の箇所である第１領域Ａ１において、合成樹脂フィルム１２が存在している箇所は運動用衣服１の着用者の身体を圧迫する。一方、第２領域Ａ２には合成樹脂フィルム１２の存在範囲が特定マネキンの大腿周方向の長さの２０％以下（０％を含む）に存在していることにより、第１領域Ａ１の上部に位置する第２領域Ａ２において、第１領域Ａ１の合成樹脂フィルム１２が存在している箇所よりも運動用衣服１の着用者の身体を圧迫する力が小さくなる。
【００３３】
第１領域Ａ１は、運動用衣服１を特定マネキンに着用させ、該特定マネキンの大転子高さＰ１と膝関節高さＰ２との高低差（身長方向の差）を１００としたとき、大腿部１０の一部の領域であって大転子高さＰ１との高低差が３０以上７０以下であるが、大転子高さＰ１との高低差が３３以上であることが好ましく、３５以上であることがより好ましく、４０以上であることがさらに好ましい。また、大転子高さＰ１との高低差が６７以下であることが好ましく、６５以下であることがより好ましく、６０以下であることがさらに好ましい。第１領域Ａ１の位置を定めるための大転子高さＰ１との高低差の上限値および下限値を上記の範囲に設定することにより、第１領域Ａ１内の適切な箇所に圧力を加えやすくなる。そのため、運動用衣服１の着用者の運動能力の向上や疲労を軽減する効果を高めやすくなる。
【００３４】
第１領域Ａ１において存在している合成樹脂フィルム１２は、特定マネキンの大腿周方向の長さの６０％以上であるが、特定マネキンの大腿周方向の長さの６３％以上であることが好ましく、６５％以上であることがより好ましく、７０％以上であることがさらに好ましい。第１領域Ａ１に存在している合成樹脂フィルム１２の存在範囲と、特定マネキンの大腿周方向の長さとの比率の下限値を上記の範囲に設定することにより、運動用衣服１の着用者の大腿を周方向に圧迫しやすくなり、着用者の運動能力の向上や疲労の軽減といった効果が発揮しやすくなる。また、第１領域Ａ１に存在している合成樹脂フィルム１２の存在範囲と、特定マネキンの大腿周方向の長さとの比率の上限値は、９５％以下であることが好ましく、９３％以下であることがより好ましく、９０％以下であることがさらに好ましい。第１領域Ａ１に存在している合成樹脂フィルム１２の存在範囲と、特定マネキンの大腿周方向の長さとの比率の上限値を上記の範囲に設定することにより、第１領域Ａ１において合成樹脂フィルム１２が過度に存在することによる通気性の低下や大腿部１０の剛性が高くなりすぎることを防止することができる。その結果、運動用衣服１の着心地を向上させることが可能となる。
【００３５】
第２領域Ａ２において存在している合成樹脂フィルム１２は、特定マネキンの大腿周方向の長さの２０％以下であるが、特定マネキンの大腿周方向の長さの１８％以下であることが好ましく、１５％以下であることがより好ましく、１０％以下であることがさらに好ましい。第２領域Ａ２に存在している合成樹脂フィルム１２の存在範囲と、特定マネキンの大腿周方向の長さとの比率の上限値を上記の範囲に設定することにより、第２領域Ａ２における運動用衣服１の着用者の大腿に加わる圧力を第１領域Ａ１よりも十分に小さくすることができる。そのため、運動用衣服１の着用者の運動能力の向上や疲労軽減の効果を発揮させつつ、大腿部１０における着用感を向上させることが可能となる。
【００３６】
第１領域Ａ１は、股下５ｃｍから股下２０ｃｍまでの領域であり、第２領域Ａ２は、股下０ｃｍから股下５ｃｍまでの領域であることが好ましい。第１領域Ａ１と第２領域Ａ２のそれぞれの位置を上記の場所に定めることにより、運動用衣服１の着用者の運動能力を高める効果や、疲労を軽減する効果をより向上させることができる。また、第１領域Ａ１および第２領域Ａ２の位置を上記の場所に定めることによって、運動用衣服１の製造時に第１領域Ａ１と第２領域Ａ２の位置が分かりやすく、運動用衣服１の製造が容易となる効果も有している。
【００３７】
合成樹脂フィルム１２は、運動用衣服１の外側面に存在していてもよいが、図１および図２に示すように、着用者側面に存在していることが好ましい。合成樹脂フィルム１２が着用者側面に存在していることにより、運動用衣服１の外側面に合成樹脂フィルム１２が露出しない。そのため、運動用衣服１の着用時に、合成樹脂フィルム１２と他物とが擦れる等して合成樹脂フィルム１２が損傷しにくくなり、運動用衣服１の耐久性を向上させることができる。
【００３８】
合成樹脂フィルム１２の表面は、凹凸があることが好ましい。合成樹脂フィルム１２の表面に凹凸を付けるためには、例えば、合成樹脂フィルム１２にプリント加工を施す等の方法が挙げられる。合成樹脂フィルム１２の表面に凹凸があることにより、運動用衣服１の着用者の身体と合成樹脂フィルム１２とが密着しにくく、運動用衣服１の着用時に身体が合成樹脂フィルム１２に貼り付きにくくなる。その結果、運動用衣服１の着心地をよくすることが可能となる。
【００３９】
図１および図２に示すように、大腿周方向において、合成樹脂フィルム１２は、不連続部２０を有していることが好ましい。合成樹脂フィルム１２が不連続部２０を有していることにより、合成樹脂フィルム１２が存在している箇所が運動用衣服１の着用者の大腿を過度に圧迫することを防止し、運動時に着用者が脚を動かしやすくなる。
【００４０】
合成樹脂フィルム１２は、不連続部２０を複数有していることが好ましい。不連続部２０の数が複数であることにより、大腿周方向の全体において合成樹脂フィルム１２が運動用衣服１の着用者の大腿に加える圧力の強さを調節しやすくなる。その結果、運動用衣服１が有する運動能力の向上効果や疲労軽減効果、また、着用者の脚の動かしやすさや大腿部１０の着用感等を最適なものとするための調節が行いやすくなる。
【００４１】
図１および図２に示すように、合成樹脂フィルム１２の上面から見た不連続部２０の延在方向は、身長方向に対して斜めとなっていることが好ましい。不連続部２０の延在方向が身長方向に対して斜めとなっていることにより、運動用衣服１の着用時等において、大腿部１０へ身幅方向に引っ張られて合成樹脂フィルム１２へも身幅方向に力が加わった際に不連続部２０が身幅方向への力を緩衝し、合成樹脂フィルム１２を破損しにくくすることができる。
【００４２】
合成樹脂フィルム１２は、延在方向が身長方向に対して斜めとなっている不連続部２０と、延在方向が身長方向と同一である不連続部２０の両方を有していることが好ましい。合成樹脂フィルム１２が、延在方向が身長方向に対して斜めとなっている不連続部２０、および延在方向が身長方向と同一である不連続部２０を有していることにより、大腿部１０へ身幅方向だけでなく、身長方向や身長方向に対して斜め等、様々な方向の力が加わった場合であっても、合成樹脂フィルム１２が破損しにくくなり、運動用衣服１の耐久性を高めることができる。
【００４３】
図１および図２に示すように、不連続部２０は、周縁部に合成樹脂フィルム１２が存在している閉じた開口２１を有していることが好ましい。不連続部２０が閉じた開口２１を有していることにより、合成樹脂フィルム１２へ加わった力を緩衝しつつ、合成樹脂フィルム１２が着用者の大腿へ適度な力によって圧迫することができる。そのため、大腿部１０が運動用衣服１の着用者の大腿の筋肉を適度な圧力にて支えやすくなり、運動能力の向上や疲労軽減効果の高い運動用衣服１とすることが可能となる。
【００４４】
不連続部２０は、開口２１を複数有していることが好ましい。不連続部２０が複数の開口２１を有していることにより、大腿周方向の全体において合成樹脂フィルム１２に加わった力を緩衝することができる。その結果、合成樹脂フィルム１２の破損を防ぎ、耐久性を高めることができる。
【００４５】
不連続部２０は、周縁部に合成樹脂フィルム１２が存在している閉じた開口２１と、周縁部の一部に合成樹脂フィルム１２が存在していない開口部の両方を有していることが好ましい。不連続部２０が、周縁部に合成樹脂フィルム１２が存在している閉じた開口２１と、周縁部の一部に合成樹脂フィルム１２が存在していない開口部の両方を有していることにより、合成樹脂フィルム１２に加わる力を緩衝して合成樹脂フィルム１２の破損を防止する効果と、合成樹脂フィルム１２が運動用衣服１の着用者の大腿を圧迫して運動能力の向上や疲労を軽減する効果の両方を十分に発揮することが可能となる。
【００４６】
図１に示すように、前身頃において、不連続部２０の上端２０ａは、不連続部２０の下端２０ｂよりも身幅方向の中心側にあることが好ましい。つまり、運動用衣服１の前身頃において、不連続部２０の上端２０ａは、不連続部２０の下端２０ｂよりも身幅方向の内方にあることが好ましい。前身頃において、不連続部２０の上端２０ａが、不連続部２０の下端２０ｂよりも身幅方向の中心側にあることにより、運動用衣服１の着用者の左右両方の大腿へ、身幅方向の中心に向かう方向へ不連続部２０の開口２１が延在することとなる。その結果、運動用衣服１の着用者の大腿の前面部分を、大腿部１０が身幅方向の中心に向かう方向の圧力を加えることができ、運動能力の向上効果や疲労の軽減効果を高めやすくなる。
【００４７】
図２に示すように、後ろ身頃においては、不連続部２０の下端２０ｂは、不連続部２０の上端２０ａよりも身幅方向の中心側にあることが好ましい。また、前身頃においては上端２０ａが下端２０ｂよりも身幅方向の中心側にあり、後ろ身頃においては下端２０ｂが上端２０ａよりも身幅方向の中心側にあることがより好ましい。前身頃においては上端２０ａが下端２０ｂよりも身幅方向の中心側にあり、後ろ身頃においては下端２０ｂが上端２０ａよりも身幅方向の中心側にあることにより、運動用衣服１の着用者の大腿の周方向において、一方方向の力を加えることができる。そのため、運動能力をより向上させることができ、さらに、疲労の軽減の効果も高めることができる。
【００４８】
図１に示すように、不連続部２０の上端２０ａと下端２０ｂとを通る直線Ｌ１と、身長方向とがなす角度θ１は、１０度以上４５度以下であることが好ましい。不連続部２０の上端２０ａと下端２０ｂとを通る直線Ｌ１と身長方向とがなす角度θ１が１０度以上４５度以下であることにより、運動用衣服１の着用時等、大腿部１０へ身幅方向に引っ張られて合成樹脂フィルム１２に身幅方向への力が加わった際に不連続部２０が身幅方向への力を緩衝することができ、合成樹脂フィルム１２が破損しにくくなる。また、直線Ｌ１と身長方向とがなす角度θ１が１０度以上４５度以下であることによって、合成樹脂フィルム１２が運動用衣服１の着用者の大腿を適度な力によって圧迫しやすくなり、大腿部１０が着用者の大腿の筋肉を適度な圧力にて支えやすくなる。その結果、運動用衣服１が有する運動能力の向上や疲労軽減の効果を高めることが可能となる。
【００４９】
不連続部２０の上端２０ａと下端２０ｂとを通る直線Ｌ１と、身長方向とがなす角度θ１は、１０度以上であることが好ましく、１５度以上であることがより好ましく、２０度以上であることがさらに好ましい。直線Ｌ１と身長方向とがなす角度θ１の下限値を上記の範囲に設定することにより、合成樹脂フィルム１２が運動用衣服１の着用者の大腿を適度な力で圧迫しやすく、運動能力の向上効果や疲労の軽減効果を高めることができる。また、不連続部２０の上端２０ａと下端２０ｂとを通る直線Ｌ１と、身長方向とがなす角度θ１は、４５度以下であることが好ましく、４０度以下であることがより好ましく、３５度以下であることがさらに好ましい。直線Ｌ１と身長方向とがなす角度θ１の上限値を上記の範囲に設定することにより、合成樹脂フィルム１２に身幅方向への力が加わったときに不連続部２０が身幅方向への力を緩衝することができ、合成樹脂フィルム１２の破損を防止することができる。
【００５０】
図１および図２に示すように、第１領域Ａ１内に、股下９ｃｍから股下１２ｃｍまでの領域である第３領域Ａ３があり、第３領域Ａ３において、合成樹脂フィルム１２が存在している面積率は、８０％以上であることが好ましい。第１領域Ａ１の中でも、第３領域Ａ３に位置する部分にて運動用衣服１の着用者の身体を圧迫することが、運動能力の向上や疲労軽減の効果を発揮するうえで好ましい。第３領域Ａ３における合成樹脂フィルム１２の面積率が８０％以上であることにより、第３領域Ａ３内での合成樹脂フィルム１２が存在している割合を高めることができる。そのため、第３領域Ａ３に位置している運動用衣服１の着用者の身体に加わる圧力を高めることができ、運動能力の向上効果や疲労の軽減効果を高めることが可能となる。
【００５１】
第３領域Ａ３において、合成樹脂フィルム１２が存在している面積率は、８０％以上であることが好ましいが、合成樹脂フィルム１２が存在している面積率が８２％以上であることがより好ましく、８５％以上であることがさらに好ましい。第３領域Ａ３における合成樹脂フィルム１２が存在している面積率の下限値を上記の範囲に設定することにより、第３領域Ａ３が運動用衣服１の着用者の身体に加える圧力を高めることができる。また、第３領域Ａ３において、合成樹脂フィルム１２が存在している面積率の上限値は特に限定されないが、例えば、９９％以下、９７％以下、９５％以下とすることができる。
【００５２】
合成樹脂フィルム１２が積層されている部分の生地（以下、フィルム積層生地と称することがある）の目付は、合成樹脂フィルム１２が積層されていない部分の生地（以下、無フィルム生地と称することがある）の目付の１５０％以上３００％以下であることが好ましい。フィルム積層生地の目付が、無フィルム生地の目付の１５０％以上３００％以下であることにより、フィルム積層生地が、無フィルム生地よりも厚みが大きく、剛性も高くなる。そのため、大腿部１０のうち、フィルム積層生地の部分に位置する運動用衣服１の着用者の身体に加わる圧力を、無フィルム生地の部分に位置する着用者の身体に加わる圧力よりも高くすることができる。その結果、運動用衣服１の有する運動能力を向上させる効果や、疲労を軽減する効果を高めることが可能となる。
【００５３】
フィルム積層生地の目付は、無フィルム生地の目付の１５０％以上であることが好ましいが、１７０％以上であることがより好ましく、１９０％以上であることがさらに好ましい。フィルム積層生地の目付と無フィルム生地の目付の比率の下限値を上記の範囲に設定することにより、フィルム積層生地の部分に位置する運動用衣服１の着用者の身体に加わる圧力を無フィルム生地の部分に位置する着用者の身体に加わる圧力よりも十分に高くすることが可能となる。また、フィルム積層生地の目付は、無フィルム生地の目付の３００％以下であることが好ましいが、２７０％以下であることがより好ましく、２５０％以下であることがさらに好ましい。フィルム積層生地の目付と無フィルム生地の目付の比率の上限値を上記の範囲に設定することにより、フィルム積層生地が過度に厚くなることや重くなることを防ぎ、運動用衣服１の着心地を向上させることができる。
【００５４】
以上のように、本発明の運動用衣服は、少なくとも大腿部を有する運動用衣服であって、大腿部は、母材生地と、母材生地に積層されている合成樹脂フィルムとを有しており、運動用衣服を特定マネキンに着用させ、該特定マネキンの大転子高さと膝関節高さとの高低差（身長方向の差）を１００としたとき、大腿部の一部の領域であって大転子高さとの高低差が３０以上７０以下である第１領域には、合成樹脂フィルムの存在範囲が特定マネキンの大腿周方向の長さの６０％以上である箇所が存在しており、大腿部の他の領域であって大転子高さとの高低差が３０以下である第２領域には、合成樹脂フィルムの存在範囲が特定マネキンの大腿周方向の長さの２０％以下（０％を含む）に存在していることを特徴とする。運動用衣服がこのような構成であることにより、着用者の大腿の第１領域の特定箇所に圧力を加えることができ、第２領域では第１領域の特定箇所よりも加わる圧力を小さくすることができる。その結果、中強度〜高強度の運動を長時間行う場合において着用者の運動能力を向上させるという効果や、筋肉の疲労を軽減させる効果を十分に発揮することが可能となる。
【符号の説明】
【００５５】
１：運動用衣服
１０：大腿部
１１：母材生地
１２：合成樹脂フィルム
２０：不連続部
２０ａ：不連続部の上端
２０ｂ：不連続部の下端
２１：開口
Ｐ１：大転子高さ
Ｐ２：膝関節高さ
Ａ１：第１領域
Ａ２：第２領域
Ａ３：第３領域
Ｌ１：不連続部の上端と下端とを通る直線
θ１：直線Ｌ１と身長方向とがなす角度
【図１】
0006970766.tif 000002
【図２】
0006970766.tif 000003